(57)【要約】【課題】ＭＵＸとＤＥＭＵＸとでの制御を共通化させた光通信システムを提供する。【解決手段】光通信システム１は、ＷＳＳ１０，２０を備える。ＷＳＳ１０は、入出力ポート１２ａ〜１２ｈ、分光素子１３、ＭＥＭＳミラー１６及びミラー制御部１８を備える。ＷＳＳ２０は、入出力ポート２２ａ〜２２ｈ、分光素子２３、ＭＥＭＳミラー２６及びミラー制御部２８を備える。ミラー制御部１８，２８は、ＷＳＳ１０での入力ポート１２ｆから出力ポート１２ｄへ光を導くためのＭＥＭＳミラー１６の偏向角と、ＷＳＳ２０での入力ポート２２ｄから出力ポート２２ｆへ光を導くためのＭＥＭＳミラー２６の偏向角とが等しくなるようにＭＥＭＳミラー１６，２６の偏向角を制御する共通の制御テーブルＣを用いて、ＭＥＭＳミラー１６，２６を制御する。【選択図】図１
2014228646.tif 000002
【特許請求の範囲】
【請求項１】
波長多重光が出力される第１の出力ポート、前記第１の出力ポートと共に一列に配列され、所定の波長成分光が入力される少なくとも１つの第１の入力ポート、前記第１の入力ポートに入力された前記所定の波長成分光を合波する第１の分光素子、前記所定の波長成分光を前記第１の出力ポートに導く第１の光偏向素子、及び、少なくとも前記第１の入出力ポートの配列方向に光の光軸を変化させることで前記第１の出力ポートに結合される前記所定の波長成分光の光量を減衰させるため前記第１の光偏向素子の偏向角を制御する第１の制御部、を有する第１のＷＳＳと、
前記波長多重光が入力される第２の入力ポート、前記第２の入力ポートと共に一列に配列され、所定の波長成分光が出力される少なくとも１つの第２の出力ポート、前記第２の入力ポートに入力された前記波長多重光を分波する第２の分光素子、前記所定の波長成分光を前記第２の出力ポートに導く第２の光偏向素子、及び、少なくとも前記第２の入出力ポートの配列方向に光の光軸を変化させることで前記第２の出力ポートに結合される前記所定の波長成分光の光量を減衰させるため前記第２の光偏向素子の偏向角を制御する第２の制御部、を有する第２のＷＳＳと、を備え、
前記第１及び第２の制御部は、前記第１の入力ポートから前記第１の出力ポートへ光を導くための前記第１の光偏向素子の偏向角と、前記第２の入力ポートから前記第２の出力ポートへ光を導くための前記第２の光偏向素子の偏向角とが等しくなるように前記第１及び第２の光偏向素子の偏向角を制御する共通の制御情報を用いて、前記第１及び第２の光偏向素子を制御することを特徴とする光通信システム。
【請求項２】
前記第１及び第２のＷＳＳは、前記共通の制御情報を記憶する記憶部をそれぞれ有していることを特徴とする請求項１に記載の光通信システム。
【請求項３】
前記第１及び第２のＷＳＳは、前記共通の制御情報を記憶する記憶部を共有していることを特徴とする請求項１に記載の光通信システム。
【請求項４】
前記第１及び第２の入出力ポートの少なくとも一方の入出力ポートは、各ポート間のピッチが不等となるように配列されていることを特徴とする請求項１〜３の何れか一項に記載の光通信システム。
【請求項５】
波長多重光が入出力される共通通過ポートと、
前記共通通過ポートと共に一列に配列され、所定の波長成分光が入出力される、少なくとも２つの波長成分透過ポートと、
前記所定の波長成分光を合波し、又は、前記波長多重光を分波する分光素子と、
前記所定の波長成分光を前記共通通過ポート又は前記波長成分透過ポートの出力側ポートに導く光偏向素子と、
少なくとも前記ポートの配列方向に光の光軸を変化させることで前記出力側ポートに結合される前記所定の波長成分光の光量を減衰させるため前記光偏向素子の偏向角を制御する制御部と、を備え、
前記共通通過ポート及び前記波長成分透過ポートの各ポートは、ポート間のピッチが不等となるように配列されており、
前記共通通過ポートと当該共通通過ポートに隣接する前記波長成分透過ポートとの間隔が前記波長成分透過ポート間の間隔よりも大きいことを特徴とする波長選択スイッチ。
【請求項６】
前記制御部は、入力側ポートとなる前記共通通過ポートから出力側ポートとなる前記波長成分透過ポートへ光を導くための前記光偏向素子の偏向角と、入力側ポートとなる前記波長成分透過ポートから出力側ポートとなる前記共通通過ポートへ光を導くための前記光偏向素子の偏向角とが等しくなるように前記光偏向素子の偏向角を制御する共通の制御情報に基づいて前記光偏向素子を制御することを特徴とする請求項５に記載の波長選択スイッチ。
【請求項７】
前記通過ポートと一列に配列された他のポートを更に備え、
前記他のポートを未使用とすることで、前記共通通過ポート及び前記波長成分透過ポートの各ポート間のピッチが不等となることを特徴とする請求項５又は６に記載の波長選択スイッチ。
【請求項８】
波長多重光が入出力される共通通過ポートと、
前記共通通過ポートと共に一列に配列され、所定の波長成分光が入出力される、少なくとも１つの波長成分透過ポートと、
前記所定の波長成分光を合波し、又は、前記波長多重光を分波する分光素子と、
前記所定の波長成分光を前記共通通過ポート又は前記波長成分透過ポートの出力側ポートに導く光偏向素子と、
少なくとも前記ポートの配列方向に光の光軸を変化させることで前記出力側ポートに結合される前記所定の波長成分光の光量を減衰させるため前記光偏向素子の偏向角を制御する制御部と、を備え、
前記共通通過ポートに隣接する前記波長成分透過ポートは、モニター光出力ポートであることを特徴とする波長選択スイッチ。
【発明の詳細な説明】
【技術分野】
【０００１】
本発明は、光通信システム及び波長選択スイッチに関する。
【背景技術】
【０００２】
光通信システムにおいて、チャネル数を増大させて伝送容量を拡大するために、波長多重（ＷＤＭ：Wavelength Division Multiplexing）光信号が用いられている。また、複数の光入出力ポートを有し、波長多重されたＷＤＭ光信号を光電変換することなく光のまま選択的に操作することができるデバイスとして、波長選択スイッチ（Wavelength Selective Switch：以下、ＷＳＳと称する。）が用いられている。このようなＷＳＳでは、出力ポートから出力される出力光の光量を制御するため、出力光を所望量減衰させる制御が行われている（例えば特許文献１）。
【先行技術文献】
【特許文献】
【０００３】
【特許文献１】特開２００９−０４７９１７号公報
【発明の概要】
【発明が解決しようとする課題】
【０００４】
このようなＷＳＳは、リングネットワークから所定波長成分信号を個別に入力（ａｄｄ）または出力（ｄｒｏｐ）するために用いられる。このようなａｄｄ／ｄｒｏｐ機能を実現するため、ＷＳＳは、所定波長成分を合波する機能（multiplx：以下ＭＵＸと称する）および分波する機能（demultiplx：以下ＤＥＭＵＸと称する）を有する。そして、各ＷＳＳは入出力数に応じて、多数の波長成分を入力して合波し、合波された波長多重信号を出力するａｄｄ側のＷＳＳ（ＭＵＸ）として用いられることもあれば、逆に波長多重信号を入力して波長成分に分波し、分波された多数の波長成分を出力するｄｒｏｐ側のＷＳＳ（ＤＥＭＵＸ）として用いられることもある。そして、入出力ポートの配列方向にビーム光軸をずらして出力光の減衰制御を行う場合、ＷＳＳ（ＭＵＸ）とＷＳＳ（ＤＥＭＵＸ）とで個別に制御を行っていた。しかしながら、ＷＳＳ（ＭＵＸ）とＷＳＳ（ＤＥＭＵＸ）とで制御方法を異ならせた場合、システム全体として考えると、ＷＳＳを制御するためのデータ容量が多くなってしまったり、制御が複雑になったり、設備が大型化してしまったり、更に、これらに起因して、ＷＳＳやスイッチを含んで構成される光通信システムのコストが増加してしまうという問題があった。
【０００５】
本発明は、上述の課題を解決するためになされたものであり、ａｄｄ側のＷＳＳ（ＭＵＸ）とｄｒｏｐ側のＷＳＳ（ＤＥＭＵＸ）とでの制御を共通化させた光通信システム、及び、波長選択スイッチを提供することを目的とする。
【課題を解決するための手段】
【０００６】
本発明に係る光通信システムは、第１の波長選択スイッチと、第２の波長選択スイッチとを備えている。第１の波長選択スイッチは、波長多重光が出力される第１の出力ポート、第１の出力ポートと共に一列に配列され、所定の波長成分光が入力される少なくとも１つの第１の入力ポート、第１の入力ポートに入力された所定の波長成分光を合波する第１の分光素子、所定の波長成分光を第１の出力ポートに導く第１の光偏向素子、及び、少なくとも第１の入出力ポートの配列方向に光の光軸を変化させることで第１の出力ポートに結合される所定の波長成分光の光量を減衰させるため第１の光偏向素子の偏向角を制御する第１の制御部を有している。第２の波長選択スイッチは、波長多重光が入力される第２の入力ポート、第２の入力ポートと共に一列に配列され、所定の波長成分光が出力される少なくとも１つの第２の出力ポート、第２の入力ポートに入力された波長多重光を分波する第２の分光素子、所定の波長成分光を第２の出力ポートに導く第２の光偏向素子、及び、少なくとも第２の入出力ポートの配列方向に光の光軸を変化させることで第２の出力ポートに結合される所定の波長成分光の光量を減衰させるため第２の光偏向素子の偏向角を制御する第２の制御部を有している。
【０００７】
そして、本発明に係る光通信システムでは、第１及び第２の制御部は、第１の入力ポートから第１の出力ポートへ光を導くための第１の光偏向素子の偏向角と、第２の入力ポートから第２の出力ポートへ光を導くための第２の光偏向素子の偏向角とが等しくなるように第１及び第２の光偏向素子の偏向角を制御する共通の制御情報を用いて、第１及び第２の光偏向素子を制御している。この場合、第１及び第２の波長選択スイッチにおいて、各光偏向素子の偏向角の制御情報を共通にしているため、ａｄｄ側のＷＳＳ（ＭＵＸ）とｄｒｏｐ側のＷＳＳ（ＤＥＭＵＸ）とでの制御を共通化させることができる。そして、このように制御を共通化できることにより、制御に用いるデータ容量の低減や、制御の簡素化、又は、設備の小型化を図ることができ、ひいては、光通信システムのコストを低減することが可能となる。
【０００８】
また、上記の光通信システムにおいて、第１及び第２の波長選択スイッチは、共通の制御情報を記憶する記憶部をそれぞれ有していてもよい。この場合、第１及び第２の波長選択スイッチとして、同じ仕様の波長選択スイッチを用いることができる。つまり、波長選択スイッチが合波用であるか分波用であるかを考慮せずにシステム構築できる。
【０００９】
また、上記の光通信システムにおいて、第１及び第２の波長選択スイッチは、共通の制御情報を記憶する記憶部を共有していてもよい。この場合、各波長選択スイッチに用いる制御情報を共有できるので、装置の小型化等をより一層図ることができる。
【００１０】
また、上記の光通信システムにおいて、第１及び第２の入出力ポートの少なくとも一方の入出力ポートは、各ポート間のピッチが不等となるように配列されていてもよい。この場合、ＷＳＳ（ＭＵＸ）とＷＳＳ（ＤＥＭＵＸ）とで共通の制御情報を用いることで出力ポートに隣接するポートへ出力光が漏れてしまいそうな場合であっても、不等ピッチとすることで、その漏れ光を効果的に低減させることができる。
【００１１】
また、本発明に係る波長選択スイッチは、波長多重光が入出力される共通通過ポートと、共通通過ポートと共に一列に配列され、所定の波長成分光が入出力される、少なくとも２つの波長成分透過ポートと、所定の波長成分光を合波し、又は、波長多重光を分波する分光素子と、所定の波長成分光を共通通過ポート又は波長成分透過ポートの出力側ポートに導く光偏向素子と、少なくともポートの配列方向に光の光軸を変化させることで出力側ポートに結合される所定の波長成分光の光量を減衰させるため光偏向素子の偏向角を制御する制御部とを備えている。この波長選択スイッチでは、共通通過ポート及び波長成分透過ポートの各ポートは、ポート間のピッチが不等となるように配列されており、共通通過ポートと当該共通通過ポートに隣接する波長成分透過ポートとの間隔が波長成分透過ポート間の間隔よりも大きくなっている。
【００１２】
本発明に係る波長選択スイッチでは、共通通過ポート及び波長成分透過ポートの各ポートは、ポート間のピッチが不等となるように配列されており、共通通過ポートと当該共通通過ポートに隣接する波長成分透過ポートとの間隔が波長成分透過ポート間の間隔よりも大きくなっている。この場合、共通通過ポートに入力される光が隣接する波長成分透過ポートへ漏れ出すことを効果的に抑制することができ、ＷＳＳ（ＭＵＸ）として用いられる場合とＷＳＳ（ＤＥＭＵＸ）として用いられる場合とでの制御を容易に共通化させることができる。
【００１３】
また、上記の波長選択スイッチでは、制御部は、入力側ポートとなる共通通過ポートから出力側ポートとなる波長成分透過ポートへ光を導くための光偏向素子の偏向角と、入力側ポートとなる波長成分透過ポートから出力側ポートとなる共通通過ポートへ光を導くための光偏向素子の偏向角とが等しくなるように光偏向素子の偏向角を制御する共通の制御情報に基づいて光偏向素子を制御してもよい。この場合、ＷＳＳ（ＭＵＸ）として用いられる場合の制御とＷＳＳ（ＤＥＭＵＸ）として用いられる場合の制御とをより一層共通化させることができる。
【００１４】
また、上記の波長選択スイッチでは、通過ポートと一列に配列された他のポートを更に備え、他のポートを未使用とすることで、共通通過ポート及び波長成分透過ポートの各ポート間のピッチが不等となるようにしてもよい。この場合、ポートピッチが均等な汎用のスイッチを用いて実質的に不等ピッチ配列を実現することができるので、専用の波長選択スイッチを作成することなく、コストを抑えた波長選択スイッチとすることができる。
【００１５】
また、本発明に係る波長選択スイッチは、波長多重光が入出力される共通通過ポートと、共通通過ポートと共に一列に配列され、所定の波長成分光が入出力される、少なくとも１つの波長成分透過ポートと、所定の波長成分光を合波し、又は、波長多重光を分波する分光素子と、所定の波長成分光を共通通過ポート又は波長成分透過ポートの出力側ポートに導く光偏向素子と、少なくともポートの配列方向に光の光軸を変化させることで出力側ポートに結合される所定の波長成分光の光量を減衰させるため光偏向素子の偏向角を制御する制御部と、を備え、共通通過ポートに隣接する波長成分透過ポートは、モニター光出力ポートであるようにしてもよい。
【００１６】
上記波長選択スイッチでは、共通通過ポートに隣接する波長成分透過ポートがモニター光出力ポートになっている。この場合、モニター光出力ポートから検出された光を用いることで、その波長に対応する光偏向素子での減衰動作に異常が生じているか否かを容易に判定することができる。
【発明の効果】
【００１７】
本発明によれば、ａｄｄ側のＷＳＳ（ＭＵＸ）とｄｒｏｐ側のＷＳＳ（ＤＥＭＵＸ）とでの制御を共通化させた光通信システム、及び、波長選択スイッチを提供することができる。
【図面の簡単な説明】
【００１８】
【図１】本実施形態に係る光通信システムの概要を示す模式図である。
【図２】ＷＳＳ（ＭＵＸ）でのポート切替制御の第１実施形態を示す図である。
【図３】ＷＳＳ（ＤＥＭＵＸ）でのポート切替制御の第１実施形態を示す図である。
【図４】ＭＥＭＳミラー及びミラー制御部を示すブロック図である。
【図５】ミラー制御部が有する制御テーブルの一例を示す図である。
【図６】ＷＳＳ（ＭＵＸ）でのポート切替制御の第２実施形態を示す図である。
【図７】ＷＳＳ（ＤＥＭＵＸ）でのポート切替制御の第２実施形態を示す図である。
【図８】ミラー制御部が有する制御テーブルの別の例を示す図である。
【図９】ＷＳＳ（ＭＵＸ）でのポート切替制御の第３実施形態を示す図である。
【図１０】ＷＳＳ（ＤＥＭＵＸ）でのポート切替制御の第３実施形態を示す図である。
【図１１】ミラー制御部が有する制御テーブルの更に別の例を示す図である。
【図１２】ポート切替制御での光軸のずれ量をまとめた図である。
【図１３】制御テーブルをまとめた図である。
【図１４】光偏光素子としてのＬＣＯＳを示す模式図である。
【発明を実施するための形態】
【００１９】
以下、添付図面を参照して、本発明の好適な実施形態について詳細に説明する。
【００２０】
［第１実施形態］
まず、図１〜図３を参照しながら、本実施形態に係る光通信システム１、及び、光通信システム１を構成する各ＷＳＳ１０，２０について説明する。ＷＳＳ１０，２０の基本的な構成は同じであり、以下では、ＷＳＳ１０をａｄｄ側のＷＳＳ（ＭＵＸ）、ＷＳＳ２０をｄｒｏｐ側のＷＳＳ（ＤＥＭＵＸ）として説明するが、ＷＳＳ２０をａｄｄ側のＷＳＳ（ＭＵＸ）、ＷＳＳ１０をｄｒｏｐ側のＷＳＳ（ＤＥＭＵＸ）として用いても同様に機能する。
【００２１】
光通信システム１は、ＷＳＳ（ＭＵＸ）１０と、ＷＳＳ（ＤＥＭＵＸ）２０と、ＷＳＳ（ＭＵＸ）１０に所定波長の光信号を入力する複数の光ファイバ３０１〜３０ｎと、ＷＳＳ（ＭＵＸ）１０，ＷＳＳ（ＤＥＭＵＸ）２０を光学的に連結し波長多重光を送信する光ファイバ４０と、ＷＳＳ（ＤＥＭＵＸ）２０からの所定波長の光信号を出力する複数の光ファイバ５０１〜５０ｎとを含んで構成される。このような光通信システム１によって、例えば、各波長成分光を波長多重光に合波して遠方に送信を行い、受信した側で波長多重光を各波長成分光に分波し、所定の各波長成分光を所望の光ファイバ５０１〜５０ｎに切り替えるといったことが行える。
【００２２】
ＷＳＳ（ＭＵＸ）１０は、光通信システム１において多入力１出力であるＮ×１（Ｎは２以上の整数）のＷＳＳ（ＭＵＸ）であり、各光ファイバ３０１〜３０ｎから入力される異なった波長成分光を合波し、合波された波長多重光を光ファイバ４０へ出力する。ＷＳＳ（ＭＵＸ）１０は、図２に示すように、例えば８つの入出力ポート１２ａ〜１２ｈ、分光素子１３、集光光学系１４、複数のＭＥＭＳ（Micro Electro Mechanical Systems）ミラー１６（光偏向素子）及び制御部１８を備えている。
【００２３】
入出力ポート１２ａ〜１２ｈは、Ｙ軸方向にアレイ状になるよう所定間隔で配列されている。入力ポート１２ａ〜１２ｃ，１２ｅ〜１２ｈは、各波長成分光が入力されて通過する波長成分通過ポートとして機能し、出力ポート１２ｄは、波長多重光が出力される共通通過ポートとして機能する。入力ポート１２ａ〜１２ｃ，１２ｅ〜１２ｈそれぞれは、各光ファイバ３０１〜３０ｎに光学的に接続され、入力された光をコリメートして出力する。図１では、システムとしての説明を容易にするため、波長成分通過ポートと共通通過ポートとが対向して設けられているが、実際には、図２に示すように、入出力ポート１２ａ〜１２ｈがアレイ状に配列されている。
【００２４】
分光素子１３は、入出力ポート１２ａ〜１２ｈと集光光学系１４との間に配置され、入力ポート１２ａ〜１２ｃ，１２ｅ〜１２ｈに入力されて出射した波長成分毎の光であってＭＥＭＳミラー１６で反射された光を合波し、波長多重光を生成する。分光素子１３は、生成した波長多重光を共通通過ポートである出力ポート１２ｄに出力する。分光素子１３は、例えば回折格子やアレイ導波路型回折格子（AWG）である。
【００２５】
集光光学系１４は、分光素子１３とＭＥＭＳミラー１６との間に配置され、分光素子１３とＭＥＭＳミラー１６とを光学的に結合する。分光素子１３から出力された各波長成分毎の光を、ＭＥＭＳミラー１６に向けて集光する。また、ＭＥＭＳミラー１６で反射された光をコリメートして、分光素子１３に出射する。集光光学系１４は、例えば軸対称のレンズやミラーから構成される。
【００２６】
ＭＥＭＳミラー１６は、各入力ポート１２ａ〜１２ｃ，１２ｅ〜１２ｈそれぞれから入力され集光光学系１４で集光された各波長の光をそれぞれ所定の可変角度である偏向角で反射させる光偏向素子として機能する。光偏向素子としては、ＬＣＯＳ（Liquid Crystal on Silicon）のような反射型液晶素子や、透過型液晶素子、ＤＭＤ(Digital Mirror Device)、ＤＬＰ（Digital  Light  Processing）等といった、印加する電圧によって光路が制御される素子が適用され得る。
【００２７】
ＭＥＭＳミラー１６は、マイクロマシン技術によって作製される、複数の微小な光反射面である。これら複数の光反射面は弾性的に支持されており、各々に設けられたアクチュエータに印加される制御電圧の大きさに応じて、その角度を個別に変化できるように構成されている。各波長成分に対応する光反射面はＸ軸方向に沿ってアレイ状に配置されている。各ＭＥＭＳミラー１６は、例えばＸ軸方向の軸を中心として回転し、その偏向角は各波長成分の光毎に制御部１８によって制御される。ＭＥＭＳミラー１６で反射された光は、集光光学系１４を通過し、分光素子１３で他の光と合波されて出力ポート１２ｄに結合される。出力ポート１２ｄに結合された波長多重光は、光ファイバ４０によってＷＳＳ（ＤＥＭＵＸ）２０へ送られる。
【００２８】
図２は、例えば入力ポート１２ｆから入力した所定の波長成分の光をＭＥＭＳミラー１６で反射し、出力ポート１２ｄに結合する例を示している。なお、他の入力ポート１２ａ〜１２ｃ，１２ｅ，１２ｇ，１２ｈから入力された所定の波長成分の光も、ＭＥＭＳミラー１６で反射し出力ポート１２ｄに結合する。
【００２９】
なお、ＭＥＭＳミラー１６は、Ｘ軸方向に加え、Ｙ軸方向の軸を中心として更に回転するようにしてもよい。以下では説明を容易にするため、主にＸ軸方向の軸の回転制御について説明するが、Ｙ軸でも同様の回転制御を行うことができる。
【００３０】
制御部１８は、上述したＭＥＭＳミラー１６の回転動作を制御する部分であり、図４に示すように、駆動制御部８２、記憶部８４、ＤＡＣ（Digital to Analog Converter）８６及び駆動部８８を有している。駆動制御部８２は、所定の波長成分の光が何れかの入力ポート１２ａ〜１２ｃ，１２ｅ〜１２ｈから入力されると、その波長成分の光が入力されるＭＥＭＳミラー１６の所定の偏向角に対応する駆動電圧をＤＡＣ８６を介して駆動部８８に与え、反射光が出力ポート１２ｄに結合するよう角度制御を行う。つまり、駆動部８８に与えられる駆動電圧の値に応じて、ＭＥＭＳミラー１６の偏向角が調整される。
【００３１】
なお、光偏向素子としてＬＣＯＳを用いた場合を図１４に示す。ＬＣＯＳ９０は、駆動回路が形成されたシリコン基板９１上に、反射層である画素電極群９２と、偏向層である液晶層９３と、配向膜９４と、透明電極９５と、カバーガラス９６とを含んで構成される。必要に応じて画素電極群９２と液晶層９３の間にも配向膜を設けてもよい。画素電極群９２は所定波長成分の光に対してＹ軸方向に並んだ多数の画素が対応するよう構成され、液晶層に対して各画素電極から周期的に異なった電圧を与えることによって、図１４に示すようにステップ状の位相シフト関数を付与し、全体としてのこぎり形状となる屈折率の変化を実現することができる。この変化を周期的に繰り返すことによってブレーズ型の回折格子と同等の機能を実現するようにしている。このように屈折率の変化によりマルチレベル光フェーズドアレイが実現でき、回折現象により反射方向を異ならせることができる。画素電極群に印加する電圧を調整し、この位相シフト関数を適宜選択することによって入射光の屈折角度を夫々の波長毎に異なった方向に変化させることができるので、各波長成分の回折角を独立に制御し、特定波長の入力光を所望の方向に反射させることができる。図１４において、カバーガラス側から光が入射すると、フェーズドアレイパターンによって所定の偏向角θが付与される。以下では、当該偏向角θを付与するフェーズドアレイパターンを、同等の偏向角を付与するＭＥＭＳミラーの傾斜角と同様に扱う。
【００３２】
ＷＳＳ（ＭＵＸ）１０では、図２に示すように、例えばポート１２ｆが入力ポートであり、ポート１２ｄが出力ポートである場合、図２の実線で示す光軸ＯＰ１に沿って所定の波長成分の光が反射するようにＭＥＭＳミラー１６の偏向角を制御する。この時のＭＥＭＳミラー１６は図２の実線で示す角度となる。しかしながら、本実施形態では、制御部１８は、入出力ポート１２ａ〜１２ｈの配列方向（Ｙ軸方向）に光軸を所定量Ｓ１だけずらして光軸ＯＰ２となるようにＭＥＭＳミラー１６の偏向角を制御している。この時のＭＥＭＳミラー１６は図２の鎖線で示す角度となる。
【００３３】
ＷＳＳ（ＭＵＸ）１０では、このように出力光の結合箇所をずらす制御により、出力ポート１２ｄに結合する波長成分光の光量を減衰させる。光を結合ポートに対してずらすことで出力光の光量を減衰できる理由については公知であるため、その説明を省略する。なお、Ｘ軸方向に光軸をずらして光量を減衰してもよい。
【００３４】
ここで、上述した減衰制御の具体的な方法について説明する。制御部１８は、上述した制御を行うため、ＭＥＭＳミラー１６の駆動電圧と減衰量とが予め関連づけられた制御テーブルＣ（図５参照）を記憶部８４に記憶しておく。そして、所定の減衰（例えば減衰量が１０ｄＢ）が必要と判断された場合、駆動制御部８２は、記憶部８４から制御テーブルＣにおける当該減衰量に対応する駆動電圧値（例えば２５Ｖ）を呼び出し、駆動電圧を通常の２０Ｖから２５Ｖへと変更させる。駆動電圧の変更により、それに応じてＭＥＭＳミラー１６の偏向角が変わり、例えば図２の実線で示す光軸ＯＰ１から点線で示す光軸ＯＰ２へと光軸が移動する。この結果、出力ポート１２ｄに結合させる光が所定量Ｓ１だけずらして結合されることになり、出力光の光量が減衰される。なお、所定量Ｓ１は、隣接するポート１２ｅに出射光が結合しない程度の幅である。
【００３５】
図２及び図５では、１つのポート１２ｆから出射される波長成分光の例を示したが、制御部１８は、他のポート１２ａ〜１２ｃ，１２ｅ，１２ｇ，１２ｈからの波長成分光の場合でも同様の減衰制御を行えるように記憶部８４にこれら他のポート１２ａ〜１２ｃ，１２ｅ，１２ｇ，１２ｈに対応した制御テーブルＣも記憶している。また、図５では、制御テーブルＣにおける減衰量が１つとなっているが、複数の減衰量に対応する制御テーブルＣを制御部１８が有していてもよい。なお、これら制御テーブルＣは、後述するように、ＤＥＭＵＸ側のＷＳＳ（ＤＥＭＵＸ）２０での減衰に用いる制御テーブルＣの内容と共通の制御情報になっている。
【００３６】
続いて、ＷＳＳ（ＤＥＭＵＸ）２０は、光通信システム１において１入力多出力である１×Ｎ（Ｎは２以上の整数である）のＷＳＳであり、ＷＳＳ（ＭＵＸ）１０から光ファイバ４０を介して入力される波長多重光を分波し、分波された所定の波長成分光を各光ファイバ５０１〜５０ｎへ出力する。ＷＳＳ（ＤＥＭＵＸ）２０は、上述したように、基本的な構成はＷＳＳ１０と同じであり、図３に示すように、ポート２２ａ〜２２ｈ、分光素子２３、集光光学系２４、複数のＭＥＭＳミラー２６及び制御部２８を備えている。但し、ＷＳＳ（ＤＥＭＵＸ）２０では、ＷＳＳ（ＭＵＸ）１０と入出力が逆になっており、それに伴って各構成の機能が異なる。そこで、これら異なる点を中心に以下説明する。
【００３７】
各ポート２２ａ〜２２ｈは、ＷＳＳ（ＭＵＸ）１０の各ポート１２ａ〜１２ｈにそれぞれ対応しており、Ｙ軸方向にアレイ状になるようポート１２ａ〜１２ｈと同様に所定間隔で配列されている。ポート２２ａ〜２２ｃ，２２ｅ〜２２ｈは、各波長成分光が出力されて通過する波長成分通過ポートとして機能し、ポート２２ｄは、波長多重光が入力される共通通過ポートとして機能する。各ポート２２ａ〜２２ｃ，２２ｅ〜２２ｈは、各光ファイバ５０１〜５０ｎに光学的に接続され、入力された光をコリメートして出力する。なお、ＷＳＳ（ＤＥＭＵＸ）２０でも、ＷＳＳ（ＭＵＸ）１０と同様、実際には、図３に示すように、各ポート２２ａ〜２２ｈがアレイ状に配列されることになる。
【００３８】
分光素子２３は、分光素子１３と同様にポート２２ａ〜２２ｈと集光光学系２４との間に配置され、ポート２２ｄに入力されて出射した波長多重光をＸ軸方向に分波し、所定の波長成分毎の光を生成する。分光素子２３は、生成した各波長成分の光それぞれを集光光学系２４を介して複数のＭＥＭＳミラー２６の何れかに出力する。
【００３９】
集光光学系２４は、集光光学系１４と同様に分光素子２３とＭＥＭＳミラー２６との間に配置され、分光素子２３とＭＥＭＳミラー２６とを光学的に結合する。分光素子２３から出力された各波長成分毎の光を、ＭＥＭＳミラー２６に向けて集光する。また、ＭＥＭＳミラー２６で反射された光をコリメートして、それぞれ分光素子２３を介して各ポート２２ａ〜２２ｃ，２２ｅ〜２２ｈに出射する。
【００４０】
ＭＥＭＳミラー２６は、入力ポート２２ｄから入力され、分光素子２３で各波長成分毎の光に分光されるとともに集光光学系２４で集光された各波長の光をそれぞれ所定の可変角度である偏向角で反射させる光偏向素子として機能する。各波長成分に対応する光反射面はＸ軸方向に沿ってアレイ状に配置されている。各ＭＥＭＳミラー２６は、例えばＸ軸方向の軸を中心として回転し、この偏向角は制御部２８によって制御される。ＭＥＭＳミラー２６で反射された光は、集光光学系２４及び分光素子２３を通過し、何れかの出力ポートに結合される。出力ポートに結合された所定の波長成分光は、光ファイバ５０１〜５０ｎによって所定の機器へ送信される。図３では、例えば入力ポート２２ｄから入力された波長多重光を分光素子２３で分光してＭＥＭＳミラー２６で偏向し、出力ポート２２ｆに結合する例を示しているが、他の出力ポート２２ａ〜２２ｃ，２２ｅ，２２ｇ，２２ｈにも同様に出力される。
【００４１】
制御部２８は、制御部１８と同様に、ＭＥＭＳミラー２６の回転動作を制御する部分であり、駆動制御部８２、記憶部８４、ＤＡＣ８６及び駆動部８８を有している。ミラー制御部２８の記憶部８４には、制御部１８と同様に、ＭＥＭＳミラー２６の駆動電圧と減衰量とが関連づけられた制御テーブルＣが予め記憶されており、制御部１８と共通の制御情報になっている。すなわち、ＷＳＳ（ＭＵＸ）１０，ＷＳＳ（ＤＥＭＵＸ）２０は基本的な配置構成が同じであり、制御部２８の記憶部８４に記憶される制御テーブルＣの駆動電圧と減衰量との関係は、制御部１８の記憶部８４の制御テーブルＣと共通になっている。
【００４２】
従って、制御部２８では、ＷＳＳ（ＭＵＸ）１０と共通の偏向角によって結合される入出力ポートの間での光路で所定の減衰（例えば減衰量が１０ｄＢ）を行おうとした場合、駆動制御部８２は、記憶部８４から制御部１８の制御テーブルＣと共通である制御テーブルＣを呼び出す。そして、その制御テーブルＣにおける当該減衰量に対応する駆動電圧値（例えば２５Ｖ）に値を変更する。例えば共通の偏向角によって結合される入出力ポートの関係（ＷＳＳ（ＭＵＸ）１０における入力ポート１２ｆと出力ポート１２ｄに対応する、ＷＳＳ（ＤＥＭＵＸ）２０における入力ポート２２ｆと出力ポート２２ｄの配置関係）にある場合、図３の実線で示す光軸ＯＰ３に沿って所定の波長成分の光が反射するようにＭＥＭＳミラー２６の偏向角を制御（図３の実線で記載のミラー２６参照）する。ここで、本実施形態では、制御部２８は、入出力ポート２２ａ〜２２ｈの配列方向に光の光軸を所定量Ｓ２だけずらして光軸ＯＰ４となるようにＭＥＭＳミラー２６の偏向角を制御（図３の鎖線で記載のミラー２６）するようになる。
【００４３】
なお、制御部２８は、このように、制御部１８と共通の制御テーブルＣを用いて減衰制御を行うため、共通の偏向角によって結合される入出力ポートの関係で減衰を行う場合、ＭＥＭＳミラー２６の偏向角がＷＳＳ（ＭＵＸ）１０のＭＥＭＳミラー１６の偏向角と等しくなる。
【００４４】
ＷＳＳ（ＤＥＭＵＸ）２０では、このような制御により、出力ポートに結合する所定の波長成分光を、ＷＳＳ（ＭＵＸ）１０と同様に減衰させる。この所定量Ｓ２は、制御部１８による光軸のシフト量Ｓ１と同じ量であり、隣接するポート２２ｇに出射光が結合しない程度の幅である。なお、図３では、１つのポート２２ｆへの波長成分光の例を示したが、制御部２８は、他のポート２２ａ〜２２ｃ，２２ｅ，２２ｇ，２２ｈへの波長成分光の場合でも、ＷＳＳ（ＭＵＸ）１０に対応するように同様の制御を行う。つまり、ＷＳＳ（ＤＥＭＵＸ）２０の記憶部８４には、これら他のポート２２ａ〜２２ｃ，２２ｅ，２２ｇ，２２ｈに対応した制御テーブルＣも記憶されており、これは、ＷＳＳ（ＭＵＸ）１０の記憶部８４の対応するポート１２ａ〜１２ｃ，１２ｅ，１２ｇ，１２ｈでの制御に用いられる情報と共通となっている。
【００４５】
以上、本実施形態に係る光通信システム１では、制御部１８,２８は、例えば、ＷＳＳ（ＭＵＸ）１０における入力ポート１２ｆから出力ポート１２ｄへ光を導くためのＭＥＭＳミラー１６の偏向角と、ＷＳＳ（ＤＥＭＵＸ）２０における入力ポート２２ｄから出力ポート２２ｆへ光を導くためのＭＥＭＳミラー２６の偏向角とが等しくなるように両ＭＥＭＳミラー１６，２６の偏向角を制御する共通の制御情報である制御テーブルＣを用いて、両ＭＥＭＳミラー１６，２６を制御している。また、他の出力ポートからの場合も同様に制御している。そして、ＷＳＳ（ＭＵＸ）１０，ＷＳＳ（ＤＥＭＵＸ）２０では、このように共通の偏向角によって結合される入出力ポートの関係の場合にＭＥＭＳミラー１６，２６の偏向角を等しくするための制御情報を共通にしているため、この光通信システム１によれば、ＷＳＳ（ＭＵＸ）１０とＷＳＳ（ＤＥＭＵＸ）２０とでの制御を共通化させることができる。これにより、制御に用いるデータ容量の低減や、制御の簡素化、又は、設備の小型化を図ることができ、ひいては、光通信システムのコストを低減することもできる。
【００４６】
また、光通信システム１では、ＷＳＳ（ＭＵＸ）１０，ＷＳＳ（ＤＥＭＵＸ）２０は、共通の制御情報である制御テーブルＣを記憶する記憶部８４をそれぞれ有している。このため、ＷＳＳ（ＭＵＸ）１０，ＷＳＳ（ＤＥＭＵＸ）２０として、同じ仕様のＷＳＳを用いることができる。なお、光通信システム１において、ＷＳＳ（ＭＵＸ）１０，ＷＳＳ（ＤＥＭＵＸ）２０は、共通の制御情報である制御テーブルＣを記憶する記憶部８４を共有していてもよい。この場合、各ＷＳＳ（ＭＵＸ）１０，ＷＳＳ（ＤＥＭＵＸ）２０に用いる制御情報をそれぞれが保有するのではなく共有できるので、装置の小型化等をより一層図ることができる。
【００４７】
［第２実施形態］
次に、光通信システム１に用いられるＷＳＳの第２実施形態について図６〜図８を参照して説明する。第２実施形態では、入出力ポートの配列が不等ピッチとなっている点が第１実施形態と異なっている。以下、異なる点を中心に説明する。
【００４８】
第２実施形態の光通信システム１では、多入力１出力のＷＳＳ（ＭＵＸ）としてＷＳＳ（ＭＵＸ）６０が用いられ、１入力多出力のＷＳＳ（ＤＥＭＵＸ）としてＷＳＳ（ＤＥＭＵＸ）７０が用いられる。ＷＳＳ（ＭＵＸ）６０，ＷＳＳ（ＤＥＭＵＸ）７０は、基本的な構成は同じである。
【００４９】
ＷＳＳ（ＭＵＸ）６０は、第１実施形態のＷＳＳ（ＭＵＸ）１０と同様、入出力ポート６２ｂ，６２ｃ，６２ｅ，６２ｇ，６２ｈ、分光素子６３、集光光学系６４、複数のＭＥＭＳミラー６６及び制御部６８を備えている。ＷＳＳ（ＤＥＭＵＸ）７０は、第１実施形態のＷＳＳ（ＤＥＭＵＸ）２０と同様に、入出力ポート７２ｂ，７２ｃ，７２ｅ，７２ｇ，７２ｈ、分光素子７３、集光光学系７４、複数のＭＥＭＳミラー７６及び制御部７８を備えている。
【００５０】
ＷＳＳ（ＭＵＸ）６０の各ポート６２ｂ，６２ｃ，６２ｅ，６２ｇ，６２ｈは、図６に示されるように、Ｙ軸方向にアレイ状になり且つ不等な間隔となるように配列されている。ポート６２ｂ，６２ｃ，６２ｇ，６２ｈは、各波長成分光が入力されて通過する波長成分通過ポートとして機能し、ポート６２ｅは、波長多重光が出力される共通通過ポートとして機能する。ポート６２ｂ，６２ｃ，６２ｇ，６２ｈそれぞれは、各光ファイバ３０１〜３０ｎに光学的に接続され、入力された光をコリメートして出力する。共通通過ポートであるポート６２ｅと、ポート６２ｅに隣接するポート６２ｃ（又は６２ｇ）との間隔は、波長成分通過ポートであるポート６２ｂ，６２ｃ間（又はポート６２ｇ，６２ｈ間）の間隔よりも大きい。
【００５１】
図６において、ポート６２ｅと、ポート６２ｅに隣接するポート６２ｃとの間に、二点鎖線で示すポート６２ｄが存在しても良い。この場合、そのようなポート６２ｄに波長多重光または所定波長成分光を伝送する機能を使用しないように構成することで、実質的にその場所にポートがない場合と同様の、上述した不等間隔を形成できる。
【００５２】
一方、ＷＳＳ（ＤＥＭＵＸ）７０の各ポート７２ｂ，７２ｃ，７２ｅ，７２ｇ，７２ｈは、ＷＳＳ（ＭＵＸ）６０の各ポート６２ｂ，６２ｃ，６２ｅ，６２ｇ，６２ｈにそれぞれ対応している。図７に示されるように、Ｙ軸方向にアレイ状になり且つ不等な間隔となるように配列されている。ポート７２ｂ，７２ｃ，７２ｇ，７２ｈは、各波長成分光が出力されて通過する波長成分通過ポートとして機能し、ポート７２ｅは、波長多重光が入力される共通通過ポートとして機能する。ポート７２ｂ，７２ｃ，７２ｇ，７２ｈそれぞれは、各光ファイバ５０１〜５０ｎに光学的に接続される。共通通過ポートであるポート７２ｅと、ポート７２ｅに隣接するポート７２ｃ（又は７２ｇ）との間隔は、波長成分通過ポートであるポート７２ｂ，７２ｃ間（又はポート７２ｇ，７２ｈ間）の間隔よりも大きくなっている。図７において、ポート７２ｅと、ポート７２ｅに隣接するポート７２ｃとの間に、二点鎖線で示すポート７２ｄが存在しても良いことは上記同様である。
【００５３】
ＷＳＳ（ＭＵＸ）６０の他の構成である分光素子６３，集光光学系６４及び複数のＭＥＭＳミラー６６の機能はＷＳＳ（ＭＵＸ）１０の場合と同じであり、分光素子６３は所定の波長成分光を合波し、ＭＥＭＳミラー６６は所定の波長成分光を出力ポートである共通通過ポート６２ｅに導く。また、ＷＳＳ（ＤＥＭＵＸ）７０の他の構成である分光素子７３、集光光学系７４及び複数のＭＥＭＳミラー７６の機能はＷＳＳ（ＤＥＭＵＸ）２０の場合と同じであり、分光素子７３は波長多重光を分波し、ＭＥＭＳミラー７６は、所定の波長成分光を出力ポートである波長成分透過ポート７２ｇ等に導く。
【００５４】
続いて、ＷＳＳ（ＭＵＸ）６０，ＷＳＳ（ＤＥＭＵＸ）７０でのＭＥＭＳミラー６６，７６の制御について説明する。
【００５５】
制御部６８は、制御部１８と同様に、ＭＥＭＳミラー６６の回転動作を制御し、制御部６８の記憶部８４には、ＭＥＭＳミラー６６の駆動電圧と減衰量とが関連づけられた制御テーブルＣ（図８参照）が予め記憶されている（図８参照）。
【００５６】
ＷＳＳ（ＭＵＸ）６０の制御では、例えばポート６２ｇが入力ポートであり、ポート６２ｅが出力ポートである場合、図６の実線で示す光軸ＯＰ５に沿って所定の波長成分の光が反射するようにＭＥＭＳミラー６６の偏向角を制御する。本実施形態では、制御部６８は、制御テーブルＣを用い、所定の減衰量（例えば２０ｄＢ）となるように駆動電圧を２０Ｖから１０Ｖに変更してＭＥＭＳミラー６６の偏向角を変化させる。これにより、ポート６２ｂ等の配列方向に光軸を所定量Ｓ３だけずらして光軸ＯＰ６となるよう制御する。そして、出力ポート６２ｅに結合される光が所定量Ｓ３上方にずれて結合されることで、出力光の光量を減衰させる。なお、所定量Ｓ３は、隣接する不使用ポート６２ｄまで出射光が及ぶ量であるものの、ポート６２ｄが不使用状態であることから、使用ポートに結合光が入射されることはない。
【００５７】
一方、制御部７８は、制御部２８，６８と同様に、ＭＥＭＳミラー７６の回転動作を制御し、制御部７８の記憶部８４には、ＭＥＭＳミラー７６の駆動電圧と減衰量とが関連づけられた制御テーブルＣ（図８参照）が予め記憶されている。この制御テーブルＣの値は、第１実施形態の場合と同様に、ＷＳＳ（ＭＵＸ）６０の制御部６８と共通の制御情報となっている。
【００５８】
そして、制御部７８では、ＷＳＳ（ＭＵＸ）６０と共通の偏向角によって結合される入出力ポートの間での光路で所定の減衰（例えば減衰量が２０ｄＢ）を行おうとした場合、駆動制御部８２は、記憶部８４から制御部６８の制御テーブルＣと共通である制御テーブルＣを呼び出す。そして、その制御テーブルＣにおける当該減衰量に対応する駆動電圧値（例えば１０Ｖ）に値を変更させる。例えば共通の偏向角によって結合される入出力ポートの関係（ＷＳＳ（ＭＵＸ）６０における入力ポートポート６２ｇと出力ポートポート６２ｅに対応する、ＷＳＳ（ＤＥＭＵＸ）７０における入力ポート７２ｅと出力ポート７２ｇの配置関係）にある場合、図７の実線で示す光軸ＯＰ７に沿って所定の波長成分の光が反射するようにＭＥＭＳミラー７６の偏向角を制御（図７の実線で記載のミラー７６参照）するが、本実施形態では、制御部７８は、ポート７２ｂ等の配列方向に光軸を所定量Ｓ４上方にずらして光軸ＯＰ８となるようにＭＥＭＳミラー７６の偏向角を制御（図７の鎖線で記載のミラー７６）する。
【００５９】
なお、制御部７８は、このように、制御部６８と共通の制御テーブルＣを用いて減衰制御を行うため、共通の偏向角によって結合される入出力ポートの関係で減衰を行う場合、ＭＥＭＳミラー７６の偏向角がＷＳＳ（ＭＵＸ）６０のＭＥＭＳミラー６６の偏向角と等しくなる。
【００６０】
ＷＳＳ（ＤＥＭＵＸ）７０では、このような制御により、出力ポートに結合する所定の波長成分光を、ＷＳＳ（ＭＵＸ）６０と同様に減衰させる。この所定量Ｓ４は、ミラー制御部６８による光軸のシフト量Ｓ３と同じ量であり、隣接する不使用ポート７２ｆまで出射光が及ぶ量であるものの、ポート７２ｆが不使用状態であることから、使用ポートに結合光が入射されることはない。なお、図６，７では、１つのポートを用いた例を示したが、他のポートを用いた場合でも同様である。つまり、ＷＳＳ（ＭＵＸ）６０，ＷＳＳ（ＤＥＭＵＸ）７０のそれぞれの記憶部８４には、これら他のポート６２ｂ，６２ｃ，６２ｈ，７２ｂ，７２ｃ，７２ｈに対応した制御テーブルＣも記憶されており、これらは互いに対応する共通情報となっている。
【００６１】
以上、本実施形態に係るＷＳＳ（ＭＵＸ）６０，ＷＳＳ（ＤＥＭＵＸ）７０を用いた光通信システム１では、第１実施形態と同様に、制御部６８,７８は、例えば共通通過ポートである入力ポート７２eから波長成分透過ポートである出力ポート７２ｇへ光を導くためのＭＥＭＳミラー７６の偏向角と、波長成分透過ポートである入力ポート６２ｇから共通通過ポートである出力ポート６２ｅへ光を導くためのＭＥＭＳミラー６６の偏向角とが等しくなるようにＭＥＭＳミラー６６，７６の偏向角を制御する共通の制御情報に基づいてＭＥＭＳミラー６６，７６を制御している。このため、ＷＳＳ（ＭＵＸ）６０とＷＳＳ（ＤＥＭＵＸ）７０とでの制御を共通化させることができる。これにより、制御に用いるデータ容量の低減や、制御の簡素化、又は、設備の小型化を図ることができ、ひいては、光通信システムのコストを低減することもできる。
【００６２】
また、ＷＳＳ（ＭＵＸ）６０，ＷＳＳ（ＤＥＭＵＸ）７０では、共通通過ポート及び波長成分透過ポートの各ポートは、ポート間のピッチが不等となるように配列されており、更に共通通過ポートと当該共通通過ポートに隣接する波長成分透過ポートとの間隔が波長成分透過ポート間の間隔よりも大きくなっている。つまり、共通通過ポートの周りに、光軸をずらすことのできる領域を設けている。このため、この光通信システム１では、共通通過ポートに入力される光が、隣接する波長成分透過ポートへ漏れ出すことを効果的に抑制することができ、ＷＳＳ（ＭＵＸ）６０とＷＳＳ（ＤＥＭＵＸ）７０の制御をより一層容易に共通化させやすくなる。
【００６３】
また、ＷＳＳ（ＭＵＸ）６０，ＷＳＳ（ＤＥＭＵＸ）７０は、入出力ポート６２ｂ，７２ｂ等と配列された他のポート６２ａ，７２ａ等を備えており、これら他のポート６２ａ，７２ａ等を波長多重光または所定波長成分光を伝送する機能を使用しないようにすることで、共通通過ポート及び波長成分透過ポートの各ポート間のピッチが不等となるようにしている。このため、ポートピッチが均等なＷＳＳを用いて、本実施形態に示す不等ピッチ配列を実質的に実現できるので、コストを抑えることができる。
【００６４】
［第３実施形態］
次に、光通信システム１に用いられるＷＳＳの第３実施形態について図９〜図１１を参照して説明する。第３実施形態では、第２実施形態と同様に入出力ポートの配列を不等ピッチとしているものの、制御する方向が異なる。以下、第２実施形態と異なる点を中心に説明する。
【００６５】
第３実施形態の光通信システム１では、多入力１出力のＷＳＳ（ＭＵＸ）としてＷＳＳ（ＭＵＸ）１１０が用いられ、１入力多出力のＷＳＳ（ＤＥＭＵＸ）としてＷＳＳ（ＤＥＭＵＸ）１２０が用いられる。ＷＳＳ（ＭＵＸ）１１０，ＷＳＳ（ＤＥＭＵＸ）１２０は、基本的な構成は同じである。
【００６６】
ＷＳＳ（ＭＵＸ）１１０は、第２実施形態のＷＳＳ（ＭＵＸ）６０と同様、入出力ポート１１２ｂ，１１２ｃ，１１２ｅ，１１２ｇ，１１２ｈ、分光素子１１３、集光光学系１１４、複数のＭＥＭＳミラー１１６及び制御部１１８を備えている。ＷＳＳ（ＤＥＭＵＸ）１２０は、第２実施形態のＷＳＳ（ＤＥＭＵＸ）７０と同様に、入出力ポート１２２ｂ，１２２ｃ，１２２ｅ，１２２ｇ，１２２ｈ、分光素子１２３、集光光学系１２４、複数のＭＥＭＳミラー１２６及び制御部１２８を備えている。
【００６７】
ＷＳＳ（ＭＵＸ）１１０の共通通過ポートであるポート１１２ｅと、ポート１１２ｅに隣接するポート１１２ｃ（又は１１２ｇ）との間隔は、波長成分通過ポートであるポート１１２ｂ，１１２ｃ間（又はポート１１２ｇ，１１２ｈ間）の間隔よりも大きくなっている。また、ＷＳＳ（ＤＥＭＵＸ）１２０の共通通過ポートであるポート１２２ｅと、ポート１２２ｅに隣接するポート１２２ｃ（又は１２２ｇ）との間隔は、波長成分通過ポートであるポート１２２ｂ，１２２ｃ間（又はポート１２２ｇ，１２２ｈ間）の間隔よりも大きくなっている。なお、二点鎖線で示すポート１１２ａ等が存在してもよく、波長多重光または所定波長成分光を伝送する機能を使用しないように構成することで、実質的にその場所にポートがない場合と同様、上述した不等間隔を形成できる。
【００６８】
続いて、ＷＳＳ（ＭＵＸ）１１０，ＷＳＳ（ＤＥＭＵＸ）１２０でのＭＥＭＳミラー１１６，１２６の制御について説明する。
【００６９】
制御部１１８は、制御部６８と同様に、ＭＥＭＳミラー１１６の回転動作を制御し、制御部１１８の記憶部８４には、ＭＥＭＳミラー１１６の駆動電圧と減衰量とが関連づけられた制御テーブルＣ（図１１参照）が予め記憶されている。
【００７０】
ＷＳＳ（ＭＵＸ）１１０の制御では、例えばポート１１２ｈが入力ポートであり、ポート１１２ｅが出力ポートである場合、図９の実線で示す光軸ＯＰ９に沿って所定の波長成分の光が反射するようにＭＥＭＳミラー１１６の偏向角を制御する。本実施形態では、制御部１１８は、制御テーブルＣを用い、所定の減衰量（例えば２０ｄＢ）となるように駆動電圧を３０Ｖから４０Ｖに変更してＭＥＭＳミラー１１６の偏向角を変化させる。これにより、ポート１１２ｂ等の配列方向に光軸を所定量Ｓ５ずらして光軸ＯＰ１０となるよう制御する。そして、出力ポート１１２ｅに結合される光が所定量Ｓ５下方にずらして結合されることで、光量が減衰される。なお、所定量Ｓ５は、隣接する不使用ポート１１２ｆまで出射光が及ぶ量であるものの、ポート１１２ｆが不使用状態であることから、使用ポートに結合光が入射されることはない。
【００７１】
一方、制御部１２８は、制御部７８と同様に、ＭＥＭＳミラー１２６の回転動作を制御し、制御部１２８の記憶部８４には、ＭＥＭＳミラー１２６の駆動電圧と減衰量とが関連づけられた制御テーブルＣ（図１１参照）が予め記憶されている。この制御テーブルＣの値は、第１，２実施形態の場合と同様に、ＷＳＳ（ＭＵＸ）１１０の制御部１１８と共通の制御情報となっている。
【００７２】
そして、制御部１２８では、ＷＳＳ（ＭＵＸ）１１０と共通の偏向角によって結合される入出力ポートの間での光路で所定の減衰（例えば減衰量が２０ｄＢ）を行おうとした場合、駆動制御部８２は、記憶部８４からミラー制御部１１８の制御テーブルＣと共通である制御テーブルＣを呼び出す。そして、その制御テーブルＣにおける当該減衰量に対応する駆動電圧値（例えば４０Ｖ）に値を変更させる。例えば共通の偏向角によって結合される入出力ポートの関係（ＷＳＳ（ＭＵＸ）１１０における入力ポートポート１１２ｈと出力ポートポート１１２eに対応する、ＷＳＳ（ＤＥＭＵＸ）７０における入力ポート１２２eと出力ポート１２２ｈの配置関係）にある場合、図７の実線で示す光軸ＯＰ１１に沿って所定の波長成分の光が反射するようにＭＥＭＳミラー１２６の偏向角を制御（図１０の実線で記載のミラー１２６参照）するが、本実施形態では、制御部１２８は、ポート１２２ｂ等の配列方向に光軸を所定量Ｓ６下方にずらして光軸ＯＰ１２となるようにＭＥＭＳミラー１２６の偏向角を制御（図１０の鎖線で記載のミラー１２６）する。
【００７３】
制御部１２８は、このように、制御部１１８と共通の制御テーブルＣを用いて減衰制御を行うため、共通の偏向角によって結合される入出力ポートの関係で減衰を行う場合、ＭＥＭＳミラー１２６の偏向角がＷＳＳ（ＭＵＸ）１１０のＭＥＭＳミラー１１６の偏向角と等しくなる。
【００７４】
ＷＳＳ（ＤＥＭＵＸ）１２０では、このような制御により、出力ポートに結合する所定の波長成分光を、ＷＳＳ（ＭＵＸ）１１０と同様に減衰させる。この所定量Ｓ６は、ミラー制御部１１８による光軸のシフト量Ｓ５と同じ量であり、隣接する不使用ポート１２２ｉまで出射光が及ぶ量であるものの、ポート１２２ｉが不使用状態であることから、使用ポートに結合光が入射されることはない。なお、図９，１０では、１つのポートを用いた例を示したが、他のポートを用いた場合でも同様である。つまり、ＷＳＳ（ＭＵＸ）１１０，ＷＳＳ（ＤＥＭＵＸ）１２０のそれぞれの記憶部８４には、これら他のポート１１２ｂ，１２２等に対応した制御テーブルＣも記憶されており、これらは互いに対応する共通情報となっている。
【００７５】
以上、本実施形態に係るＷＳＳ（ＭＵＸ）１１０，ＷＳＳ（ＤＥＭＵＸ）１２０を用いた光通信システム１では、第１及び第２実施形態と同様に、ミラー制御部１１８,１２８は、例えば共通通過ポートである入力ポート１２２eから波長成分透過ポートである出力ポート１２２ｈへ光を導くためのＭＥＭＳミラー１２６の偏向角と、波長成分透過ポートである入力ポート１１２ｈから共通通過ポートである出力ポート１１２ｅへ光を導くためのＭＥＭＳミラー１１６の偏向角とが等しくなるようにＭＥＭＳミラー１１６，１２６の偏向角を調整する共通の制御情報に基づいて制御している。このため、ＷＳＳ（ＭＵＸ）１１０とＷＳＳ（ＤＥＭＵＸ）１２０とでの制御を共通化させることができる。これにより、制御に用いるデータ容量の低減や、制御の簡素化、又は、設備の小型化を図ることができ、ひいては、光通信システムのコストを低減することもできる。その他、第２実施形態と同様の作用効果を奏する。
【００７６】
なお、図１２及び図１３に、第１〜第３実施形態での所定の減衰量を得るための駆動電圧をまとめたものを示す。図１２から明らかなように、第１実施形態での光軸のシフト量Ｓ１，Ｓ２は、隣接するポートにかかる程度のものではなく、波長多重光または所定波長成分光を伝送するポートの間隔の等しいＷＳＳが採用され得る。一方、第２及び第３実施形態に示すように、出力光の光量をより一層減衰させるために、波長多重光または所定波長成分光を伝送するポートの間隔を不等にして、光軸のシフト量Ｓ３〜Ｓ６としても良い。本発明によれば、簡易な制御によって隣接ポートへの光の混入を防止可能なＷＳＳが提供され得る。
【００７７】
第２及び第３実施形態において、波長多重光または所定波長成分光を伝送するポートの間隔を不等にする場合、共通通過ポートと隣接するポートとの間隔ｄ０を、他の任意の出力ポート間の間隔ｄ１，ｄ２以上（イコール含む）とすることで、ＷＳＳ（ＭＵＸ）、ＷＳＳ（ＤＥＭＵＸ）におけるＭＥＳＭミラーの駆動電圧を共通にできる。つまり、以下の式（１）を満たすことが好ましい。
ｄ０≧ｍａｘ（ｄ１，ｄ２…）  ・・・  （１）
【００７８】
以上、本発明に係る光通信システム及びＷＳＳの好適な実施形態について説明したが、本発明は必ずしも上記実施形態に限られず、その要旨を逸脱しない範囲で様々な変更が可能である。
【００７９】
例えば、第２及び第３実施形態では、波長多重光が入出力される共通通過ポートと隣接するポートとの間隔を広くするようにしていたが、この共通通過ポートに隣接する波長成分透過ポートをモニター光出力ポートとしてもよい。このように共通通過ポートの両側又は片側に空きポートを設け、それをモニター光出力ポートに使用することで、モニター光出力ポートから検出された光を用い、その波長に対応する光偏向素子での減衰動作に異常が生じているか否かを容易に判定するようにしてもよい。
【符号の説明】
【００８０】
１…光通信システム、１０，２０，６０，７０，１１０，１２０…ＷＳＳ、１２ａ〜１２ｈ，２２ａ〜２２ｈ，６２ｂ，６２ｃ，６２ｅ，６２ｇ，６２ｈ，７２ｂ，７２ｃ，７２ｅ，７２ｇ，７２ｈ，１１２ｂ，１１２ｃ，１１２ｅ，１１２ｇ，１１２ｈ，１２２ｂ，１２２ｃ，１２２ｅ，１２２ｇ，１２２ｈ…ポート、１３，２３，６３,７３，１１３，１２３…分光素子、１６，２６，６６,７６，１１６，１２６…ＭＥＭＳミラー、１８，２８，６８,７８，１１８，１２８…ミラー制御部、Ｃ…制御テーブル。
【図１】
2014228646.tif 000003
【図２】
2014228646.tif 000004
【図３】
2014228646.tif 000005
【図４】
2014228646.tif 000006
【図５】
2014228646.tif 000007
【図６】
2014228646.tif 000008
【図７】
2014228646.tif 000009
【図８】
2014228646.tif 000010
【図９】
2014228646.tif 000011
【図１０】
2014228646.tif 000012
【図１１】
2014228646.tif 000013
【図１２】
2014228646.tif 000014
【図１３】
2014228646.tif 000015
【図１４】
2014228646.tif 000016